(57)【特許請求の範囲】
【請求項１】
扉の自由側端縁付近において扉面とほぼ平行で鉛直方向に延在するハンドルの一端を、ラッチボルトを支持する錠箱に見込み方向において重合するように配設すると共に、他端を、扉面に装着された第２支持座に、ハンドル全体が扉面に平行な平面内で回動できるように支持、案内し、一方、ハンドルの一端の扉面に対向する内面に、内端に作動片を固定した案内シューを突設し、この作動片を扉面に装着された第１支持座、扉面及び錠箱の側面を貫通させて錠箱内のラッチボルト操作機構に連係させると共に、案内シューを第１支持座に形成された横長のガイド孔に摺動可能に係合させ、他方、作動片がラッチボルト操作機構と係合しない待機位置及びラッチボルト操作機構を介してラッチボルトを錠箱内に引込ませる作動位置の間を移動できるように第１支持座のガイド孔の位置及び長さを設定し、更に、ハンドルの一端がその作動片の待機位置方向に復帰する方向にハンドル全体を付勢したことを特徴とする扉のハンドル装置。
【発明の詳細な説明】
【０００１】
【発明の属する技術分野】
この発明は、扉のハンドル装置に係り、特に、使い勝手が良く、しかも構造が簡単な扉のハンドル装置に関する。
【０００２】
【従来の技術】
本出願人等は、先に、例えば特願平７−８８７８３号、特願平７−９７７８６号、特願平８−１４０８８４号、或いは特願平９−２００９８９号を以て、新規な扉のハンドル装置を提案した。
【０００３】
これらの扉のハンドル装置は、何れも、ハンドルを扉の見込み方向、すなわち扉面に垂直な方向において扉に対して相対的に移動可能に案内し、扉を開け閉めするときハンドルの扉面に対する相対運動を利用してラッチボルトを錠箱内に引込ませるように構成されている。
【０００４】
したがって、例えば室内から室外に出るとき扉を外側に開く扉では、ハンドルを扉に近接する方向に押動することによりラッチボルトを錠箱内に引込ませるので、室外に出るときハンドルを握ってこれを室外側に押動することにより、ラッチボルトの引込み操作及び開扉操作を同じ方向の一操作でできるという利点がある。
【０００５】
この扉を外側から操作するときには、室外側のハンドルを引くことによりラッチボルトを錠箱内に引込ませて開扉し、入室後室内側のハンドルを引いて扉を閉めるが、室内側のハンドルを引くときにはラッチボルトを操作しない。
【０００６】
この場合には、従来のものと同様に、ラッチボルトの外端の斜面とストライクとの係合によって生じる楔作用によりラッチボルトは自動的に錠箱内に引込み、扉が完全に閉ったとき、ラッチボルトがラッチボルトばねの弾力によりフロント板から突出し、ストライク板のラッチボルト孔に自動的に投入される。
【０００７】
【発明が解決しようとする課題】
上記した構造の扉のハンドル装置は、ハンドルを握った手の一方向の一動作でラッチボルトの操作と扉の開閉操作を連続して行うことができる、という利点はあるものの、ハンドルが扉に対して相対的に移動可能であるため、扉の開閉操作に心理的に少し違和感がある、という恨みが残る。
【０００８】
すなわち、通常の扉の外部操作部材、例えばノブ、レバー或いはハンドルは扉面に固定されており、かつ住人はそれに慣れているので、ハンドルが見込み方向に可動である、換言すればぐらぐらしているのは、例えそれがラッチボルトを錠箱内に引込ませるために必要であっても、心理的に或いは人間工学的に少し抵抗がある。
【０００９】
また、通常ハンドルを扉面に平行な状態で見込み方向に移動可能に案内するため、ハンドルをリンク機構で支持する場合が多く、したがって構造が複雑になる、という不都合がある。
【００１０】
更にまた、ハンドルを扉に対し相対的に移動させてラッチボルトを錠箱内に引込ませる機構は、扉をラッチボルトを介して一時的に扉枠に係止する必要があり、この場合ラッチボルトの先端のラッチヘッドにストライク板からの側圧がかかるので、ハンドル操作に少し抵抗がある、換言すればハンドル操作が円滑ではない、という不都合もある。
【００１１】
そこで、この発明は、上記した種々の不都合を解消し、使い勝手が良く、構造が簡単であり、しかも作動が円滑な扉のハンドル装置を提供することを目的としている。
【００１２】
【課題を解決するための手段】
上記の目的を達成するため、この発明は、扉の自由側端縁付近において扉面とほぼ平行で鉛直方向に延在するハンドルの一端を、ラッチボルトを支持する錠箱に見込み方向において重合するように配設すると共に、他端を、扉面に装着された第２支持座に、ハンドル全体が扉面に平行な平面内で回動できるように支持、案内し、一方、ハンドルの一端の扉面に対向する内面に、内端に作動片を固定した案内シューを突設し、この作動片を扉面に装着された第１支持座、扉面及び錠箱の側面を貫通させて錠箱内のラッチボルト操作機構に連係させると共に、案内シューを第１支持座に形成された横長のガイド孔に摺動可能に係合させ、他方、作動片がラッチボルト操作機構と係合しない待機位置及びラッチボルト操作機構を介してラッチボルトを錠箱内に引込ませる作動位置の間を移動できるように第１支持座のガイド孔の位置及び長さを設定し、更に、ハンドルの一端がその作動片の待機位置方向に復帰する方向にハンドル全体を付勢したことを特徴とする。
【００１３】
【実施例】
以下この発明の実施例を図面を参照して説明する。
図１において符号１は室外側のハンドルを示し、このハンドル１は扉の自由側端縁付近の内面において、扉２の内面又は外面（図２に示すものは外面）にほぼ平行で鉛直方向に延在する棒状体である。
【００１４】
なお、この発明は、図示の実施例のように直線的な棒状のハンドルのみならず、細長い板状のハンドル、或いは任意の断面形状のハンドル、又は全体が少し湾曲したハンドル、等種々の形状のハンドルに適用できる。
【００１５】
そして、この発明による扉のハンドル装置の作動を先に述べれば、例えばハンドル１の一端部（上端部）を軽く握って一端が矢印Ａ方向（時計方向）に移動する方向に僅かの角度回動させることによりラッチボルトを錠箱内に引込ませ、ハンドルをその作動角度位置に置いた状態で例えばハンドルを引いて扉２を開いて室内に入る。
【００１６】
ラッチボルトを扉枠のストライク板から抜き外し、扉を少しでも開いた後は、ハンドルを作動角度位置に拘束する必要はない。
【００１７】
図示の実施例におけるハンドル１は、図２に示すように、横断面形状が円形のパイプであり、その両端の短い部分が同方向かつ直角に折り曲げられ、全体の形状が縦棒部分が長いコ字形をなしている。
【００１８】
そして、このハンドル１は、その一端（上端）が、扉２の自由側端縁部に埋設され、図示しないラッチボルトを支持する錠箱３と扉２の見込み方向（図２で左右方向）において重合するように配設されている。
【００１９】
一方、このハンドル１の他端（下端）は、扉２の表面に装着された円盤状の第２支持座４に、ハンドル１全体が、他端を中心にして、扉面に平行な平面内で回動できるように支持、案内されている。
【００２０】
すなわち、ハンドル１の他端の開口には、扉面に対向する内面に同軸に支軸５を突設した第２連結プラグ６が圧入、ねじ止め或いは焼き嵌め等の結合手段により一体的に嵌装されており、この支軸５は、第２支持座４の中央に開口した支持孔７に回動可能に嵌合している。
【００２１】
そして、図２及び図３に示すように、第２支持座４の錠箱３側の内面に形成された第１凹陥部８内に突き抜けた支軸５の内端部にはＥ形止め輪９が装着され、支軸５の抜け止めが施されている。
【００２２】
なお、これは言うまでもないことであるが、支軸にＥ形止め輪９を装着するには蛇の目状の凹陥部８内にＥ形止め輪を落とし込み、しかる後これを支軸方向に押動して装着する。
【００２３】
また、図２及び図４に示すように、第２支持座４のハンドル１側の外面に形成された第２凹陥部１１内には固定ばね掛けピン１２が植設されており、これに対応して、ハンドルの他端の内面に例えばねじ止め等によって装着されたハイドフランジ１３の内面には可動ばね掛けピン１４が突設されている。
【００２４】
そして、第２凹陥部１１内に弾装された捩りコイルばね１５の両端はこれら固定及び可動ばね掛けピン１２、１４に夫々掛け止められており、この捩りコイルばね１５が呈する弾力により、ハンドル１は支軸５を中心として図１で時計方向に付勢されている。
【００２５】
他方、ハンドル１の一端は、次に述べるようにして、ハンドル１の一端に対応して扉２に装着された第１支持座１６と係合し、これに支持案内されている。
【００２６】
すなわち、図２乃至図４に示すように、ハンドル１の一端と扉面との間に配設された大体の形状が円盤状の第１支持座１６には、外側（図２で右側）から見て右方に偏った位置に、横長の小判形のガイド孔１７と一回り大きいが同形の第３凹陥部１８とが見込み方向に連設されている。
【００２７】
これらガイド孔１７及び第３凹陥部１８の形状は、後述するようにハンドル１の下端の支軸５を中心にして回動する後記案内シュー及び係止フランジの逃げ穴であるから、半径の大きな円弧の一部であることが望ましいが、その左右方向の長さが短いので、水平な直線状の穴でよい。
【００２８】
また、ハンドル１の一端には、前記第２連結プラグ６と同様にして、第１連結プラグ１９（図２参照）が圧入、ねじ止め或いは焼き嵌め等の結合手段により一体的に嵌装されており、このように第１連結プラグ１９を嵌装したハンドル１の一端の扉面に対向する内面には、他端と同様に、例えばねじ止めによりハイドフランジ１３が装着されている。
【００２９】
そして、ハンドル１の内面には、図２に示すように、内側から順に係止フランジ２１、短円柱状の案内シュー２２及びアンカーねじ２３を連設した作動部材２４が捩じ込みにより装着されている。
【００３０】
上記案内シュー２２の見込み方向の寸法、すなわち、短円柱の高さは、上記ガイド孔１７を保つ第１支持座の厚さよりも少し大きく設定し、作動部材２４がガイド孔１７及び第３凹陥部１８内で移動できるようにする。
【００３１】
また、ガイド孔１７の幅、すなわち鉛直方向の寸法を案内シュー２２の径よりも若干大きく設定し、案内シュー２２が大きな半径の円弧に沿って移動してもガイド孔１７と干渉しないようにすることは勿論である。
【００３２】
上記係止フランジ２１の内面には、図３に示すように、例えばスリワリ２５が刻設されており、このスリワリ２５にマイナスドライバーの先端を係合させて作動部材２４をハンドルの一端の内面に捩じ込む。
【００３３】
また、係止フランジ２１の内面には、アンカーねじ２３と同軸に、付番しない雌ねじ孔が形成されており、この雌ねじ孔を利用して、板材を断面Ｌ字形に折り曲げた作動片２６（図２参照）をねじ止めする。
【００３４】
この作動片２６は、扉面及び錠箱３の側面を貫通するようにして、錠箱内の図示しないラッチボルト操作機構に係合可能に臨んでいる。
【００３５】
上記のように構成された室外側の扉のハンドル装置と同様の構成のハンドル装置を室内側にも設け、これらを連結ねじ２７、２７（図２参照）で相互に連結すると共に扉面の内外に装着する。
【００３６】
そのため、例えば第１及び第２支持座１６、４の上下に例えばＵ字形の連結座２８、２８を一体に突設し、外側の連結座２８の扉面に接合する内面には雌ねじ孔を形成し（図３参照）、内側のそれには連結ねじが挿通する穴を開口させ（図示せず）、室内側からその穴に連結ねじ２７を挿通してねじ回すことにより、室内側の支持座を扉外面に呼びつけると共に、室内側のそれを扉内面に固定する。
【００３７】
上記のように構成されたこの発明の一実施例による扉のハンドル装置は、ハンドル１に外力が作用しない常態においては、捩りコイルばね１５の弾力により内外のハンドルの作動片２６は図２乃至図４に実線で示す待機位置にあり、作動片２６はラッチボルト操作機構と係合していない。
【００３８】
なお、ここでラッチボルト操作機構とは、例えば通常の錠前におけるリトラクター等の機構をいうものとするが、この発明では作動片２６の作動行程を自由に設定できるから、作動片を直接ラッチボルトに係合させることもできるので、ここではラッチボルト操作機構とはラッチボルトそのものも含むものとする。
【００３９】
図１で例えば外出から帰った家人がハンドル１を軽く握ってこれを矢印Ａ方向に少し回動させると、ハンドルの一端の作動片２６が図３で左側、図４で右方の作動位置方向に移動し、この移動の過程で錠箱内のラッチボルト操作機構を駆動し、ラッチボルトを錠箱内に引込ませる。
【００４０】
そこで、その状態でハンドル１を手前に引くと、扉は外側に開くから、適当な時期にハンドル１を自由にして、或いはハンドル１を作動位置に置いたまま手前に引けば扉口が開いて人の出入りが可能になる。
【００４１】
このとき、ハンドル１の一端は係止フランジ２１とハイドフランジ１３とで第１支持座１６を挟持し、他端はＥ形止め輪９とハイドフランジ１３とで第２支持座４を挟持するので、ハンドル１は扉面に対し見込み方向において不動であるからハンドルの操作そのものは従来のものと変らない。
【００４２】
扉を閉めるときには、ハンドル１を作動位置においても、待機位置においても、ラッチボルトの先端の斜面とストライク板との間の楔作用により、ラッチボルトは自動的にラッチボルト孔に投入される。
【００４３】
【発明の効果】
以上の説明から明らかなように、この発明は、鉛直に延在するハンドルをその他端を中心にして扉面に平行な平面内で回動させるようにしたので、ハンドルの押し引きの際ハンドルと扉面との間隔が従来のものと同様に変化せず、したがって使い勝手が良い。
【００４４】
また、ハンドルの他端を単に回動可能に支承するだけで良いので、一端の作動片の動きがラッチボルトのそれと同方向になることとも相俟て、構造が非常に簡単になる。
【００４５】
更にまた、このハンドル装置の作動時ラッチボルトの先端に側圧がかからないので、作動が円滑である、等種々の効果を奏する。
【図面の簡単な説明】
【図１】この発明の一実施例による扉のハンドル装置を装着した扉の室外側からの線図的正面図。
【図２】扉のハンドル装置の一部断面側面図。
【図３】その扉面側から見た背面図。
【図４】図２のＩＶ−ＩＶ線から見た一部断面正面図。
【符号の説明】
１  ハンドル
２  扉
３  錠箱
４  第２支持座
５  支軸
６  第２連結プラグ
１５  捩りコイルばね
１６  第１支持座
１７  ガイド孔
１９  第１連結プラグ
２１  係止フランジ
２２  案内シュー
２６  作動片
【図１】
0004020546.tif 000002
【図２】
0004020546.tif 000003
【図３】
0004020546.tif 000004
【図４】
0004020546.tif 000005